【手続補正書】
【提出日】平成26年7月10日(2014.7.10)
【手続補正１】
【補正対象書類名】特許請求の範囲
【補正対象項目名】全文
【補正方法】変更
【補正の内容】
【特許請求の範囲】
【請求項１】
多入力多出力（ＭＩＭＯ）関連情報の伝送方法であって、
基地局がユーザ端末（ＵＥ）のＭＩＭＯ関連情報を符号化し、前記ＵＥへＭＩＭＯ関連情報符号化結果を含む下り制御シグナリングを送信し、
前記ＵＥが基地局から送信された下り制御シグナリングを受信し、ＭＩＭＯ関連情報符号化結果を取得し、ＭＩＭＯ関連情報符号化結果を復号して自局のＭＩＭＯ関連情報を得ること、を含み、
前記ＭＩＭＯ関連情報は、システムが８つのアンテナポートを指示し且つ２コードワードがイネーブルされる場合に、ＵＥのレイヤー数（Ｒａｎｋ）２に対してＤＭ−ＲＳポート及び所定のＤＭ−ＲＳのＳＣＩＤ（scrambling  identity）が対応づけられ、レイヤー数（Ｒａｎｋ）３からレイヤー数（Ｒａｎｋ）８に対してそれぞれＤＭ−ＲＳポートが対応づけられた状態が規定されたテーブルから選択され、１コードワードのみがイネーブルされる場合に、レイヤー数（Ｒａｎｋ）１に対してＤＭ−ＲＳポート及びＤＭ−ＲＳのＳＣＩＤ（scrambling  identity）が対応づけられた状態が少なくとも規定されたテーブルから選択されることを特徴とする方法。
【請求項２】
前記基地局がユーザ端末（ＵＥ）のＭＩＭＯ関連情報を符号化することは、基地局がＭＩＭＯ関連情報を符号化して３ビットのＭＩＭＯ関連情報符号化結果を得ること、を含むことを特徴とする請求項１に記載の方法。
【請求項３】
前記ＵＥへＭＩＭＯ関連情報符号化結果を含む下り制御シグナリングを送信することは、
基地局が下り制御シグナリングに、ＭＩＭＯ関連情報符号化結果を乗せるための長さ３ビットのＭＩＭＯ情報フィールドを追加し、
基地局がＭＩＭＯ関連情報符号化結果を下り制御シグナリングのＭＩＭＯ情報フィールドに乗せてＵＥに送信すること、を含むことを特徴とする請求項２に記載の方法。
【請求項４】
基地局が下り制御シグナリングに長さ３ビットのＭＩＭＯ情報フィールドを追加することは、下り制御シグナリングの下り制御情報フォーマット（ＤＣＩ  ｆｏｒｍａｔ）  ２Ｂでのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成すること、を含むことを特徴とする請求項３に記載の方法。
【請求項５】
シングルユーザ（ＳＵ）とマルチユーザ（ＭＵ）との間の動的切替を支持する必要がある場合、基地局が従来の下り制御シグナリングＤＣＩ  ｆｏｒｍａｔ  ２Ｂを利用してＵＥへＭＩＭＯ関連情報を送信すること、をさらに含むことを特徴とする請求項１に記載の方法。
【請求項６】
８つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して３ビットのＭＩＭＯ関連情報符号化結果を得ることを含み、
前記ＵＥへＭＩＭＯ関連情報符号化結果を含む下り制御シグナリングを送信することは、基地局が下り制御シグナリングに、ＭＩＭＯ関連情報符号化結果を乗せるための長さ３ビットのＭＩＭＯ情報フィールドを追加し、基地局がＭＩＭＯ関連情報符号化結果を下り制御シグナリングのＭＩＭＯ情報フィールドに乗せてＵＥに送信すること、を含むことを特徴とする請求項５に記載の方法。
【請求項７】
基地局が下り制御シグナリングに長さ３ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ３ビットのＭＩＭＯ情報フィールドを追加して、新しい下り制御シグナリングＤＣＩ  ｆｏｒｍａｔを生成すること、を含むことを特徴とする請求項６に記載の方法。
【請求項８】
４つのアンテナポートを備える場合、前記基地局がユーザ端末（ＵＥ）のＭＩＭＯ関連情報を符号化することは、ＳＵとＭＵとの間の動的切替を支持する必要がない場合、基地局がＵＥのＭＩＭＯ関連情報を符号化して１ビットのＭＩＭＯ関連情報符号化結果を得ることを含み、
前記ＵＥへＭＩＭＯ関連情報符号化結果を含む下り制御シグナリングを送信することは、基地局が下り制御シグナリングに、ＭＩＭＯ関連情報符号化結果を乗せるための長さ１ビットのＭＩＭＯ情報フィールドを追加し、基地局がＭＩＭＯ関連情報符号化結果を下り制御シグナリングのＭＩＭＯ情報フィールドに乗せてＵＥに送信すること、を含むことを特徴とする請求項５に記載の方法。
【請求項９】
基地局が下り制御シグナリングに長さ１ビットのＭＩＭＯ情報フィールドを追加することは、下り制御シグナリングＤＣＩ  ｆｏｒｍａｔ  ２Ｂでのスクランブリングシーケンスインデックス（ＳＣＩＤ）フィールドを除去し、長さ１ビットのＭＩＭＯ情報フィールドを追加して、新しい下り制御シグナリングＤＣＩ  ｆｏｒｍａｔを生成すること、を含むことを特徴とする請求項８に記載の方法。
【請求項１０】
前記ＭＩＭＯ関連情報が、ＤＭ−ＲＳ密度、直交カバーコード（ＯＣＣ）長さ、をさらに含むことを特徴とする請求項１に記載の方法。
【請求項１１】
８つのアンテナポートが指示され且つ１コードワードのみがイネーブルされる場合に利用する前記テーブルに、送信ダイバーシティの伝送モードがさらに規定されていることを特徴とする請求項１に記載の方法。
【請求項１２】
多入力多出力（ＭＩＭＯ）関連情報を送信する基地局であって、
ユーザ端末のＭＩＭＯ関連情報を符号化する復号化部と、
前記ユーザ端末へＭＩＭＯ関連情報符号化結果を含む下り制御シグナリングを送信する送信部と、を有し、
前記ＭＩＭＯ関連情報は、システムが８つのアンテナポートを指示し且つ２コードワードがイネーブルされる場合に、ユーザ端末のレイヤー数（Ｒａｎｋ）２に対してＤＭ−ＲＳポート及び所定のＤＭ−ＲＳのＳＣＩＤ（scrambling  identity）が対応づけられ、レイヤー数（Ｒａｎｋ）３からレイヤー数（Ｒａｎｋ）８に対してそれぞれＤＭ−ＲＳポートが対応づけられた状態が規定されたテーブルから選択され、１コードワードのみがイネーブルされる場合に、レイヤー数（Ｒａｎｋ）１に対してＤＭ−ＲＳポート及びＤＭ−ＲＳのＳＣＩＤ（scrambling  identity）が対応づけられた状態が少なくとも規定されたテーブルから選択されることを特徴とする基地局。
【請求項１３】
８つのアンテナポートが指示され且つ１コードワードのみがイネーブルされる場合に利用する前記テーブルに、送信ダイバーシティの伝送モードがさらに規定されていることを特徴とする請求項１２に記載の基地局。
【請求項１４】
多入力多出力（ＭＩＭＯ）関連情報を受信するユーザ端末であって、
基地局から送信された下り制御シグナリングを受信する受信部と、
下り制御シグナリングに含まれるＭＩＭＯ関連情報符号化結果を取得し、ＭＩＭＯ関連情報符号化結果を復号化する復号化部と、を有し、
前記ＭＩＭＯ関連情報は、システムが８つのアンテナポートを指示し且つ２コードワードがイネーブルされる場合に、ユーザ端末のレイヤー数（Ｒａｎｋ）２に対してＤＭ−ＲＳポート及び所定のＤＭ−ＲＳのＳＣＩＤ（scrambling  identity）が対応づけられ、レイヤー数（Ｒａｎｋ）３からレイヤー数（Ｒａｎｋ）８に対してそれぞれＤＭ−ＲＳポートが対応づけられた状態が規定されたテーブルから選択され、１コードワードのみがイネーブルされる場合に、レイヤー数（Ｒａｎｋ）１に対してＤＭ−ＲＳポート及びＤＭ−ＲＳのＳＣＩＤ（scrambling  identity）が対応づけられた状態が少なくとも規定されたテーブルから選択されることを特徴とするユーザ端末。
【請求項１５】
８つのアンテナポートが指示され且つ１コードワードのみがイネーブルされる場合に利用する前記テーブルに、送信ダイバーシティの伝送モードがさらに規定されていることを特徴とする請求項１４に記載のユーザ端末。
【手続補正２】
【補正対象書類名】明細書
【補正対象項目名】発明の名称
【補正方法】変更
【補正の内容】
【発明の名称】多入力多出力関連情報の伝送方法、基地局及びユーザ端末
【手続補正３】
【補正対象書類名】明細書
【補正対象項目名】００１２
【補正方法】変更
【補正の内容】
【００１２】
本発明の実施形態に係るＭＩＭＯ関連情報の伝送方法であって、基地局がユーザ端末（ＵＥ）のＭＩＭＯ関連情報を符号化し、前記ＵＥへＭＩＭＯ関連情報符号化結果を含む下り制御シグナリングを送信し、前記ＵＥが基地局から送信された下り制御シグナリングを受信し、ＭＩＭＯ関連情報符号化結果を取得し、ＭＩＭＯ関連情報符号化結果を復号して自局のＭＩＭＯ関連情報を得ることを含み、前記ＭＩＭＯ関連情報は、システムが８つのアンテナポートを指示し且つ２コードワードがイネーブルされる場合に、ＵＥのレイヤー数（Ｒａｎｋ）２に対してＤＭ−ＲＳポート及び所定のＤＭ−ＲＳのＳＣＩＤ（scrambling  identity）が対応づけられ、レイヤー数（Ｒａｎｋ）３からレイヤー数（Ｒａｎｋ）８に対してそれぞれＤＭ−ＲＳポートが対応づけられた状態が規定されたテーブルから選択され、１コードワードのみがイネーブルされる場合に、レイヤー数（Ｒａｎｋ）１に対してＤＭ−ＲＳポート及びＤＭ−ＲＳのＳＣＩＤ（scrambling  identity）が対応づけられた状態が少なくとも規定されたテーブルから選択されることを特徴とする。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】削除
【補正の内容】